(57)【特許請求の範囲】
【請求項１】
発光部を有するＥＬユニットと、前記ＥＬユニットを保持する保持枠と、前記ＥＬユニットを点灯制御する制御ユニットと、を備え、
前記保持枠は、レール状の導電部材を備え、前記導電部材を通して前記制御ユニットと前記ＥＬユニットとの間で電力及び通信信号を伝達し、
前記保持枠の両端部に配設され、前記導電部材を保護する一対の保護ユニットを更に備え、
前記制御ユニットは、前記保護ユニットの一方に内装されていることを特徴とする照明システム。
【請求項２】
前記ＥＬユニットは、前記制御ユニットからの通信信号を受けて前記発光部の発光状態を制御する制御部を有することを特徴とする請求項１に記載の照明システム。
【請求項３】
前記制御ユニットは、前記導電部材に電力を送電する電源部を有することを特徴とする請求項１又は請求項２のいずれかに記載の照明システム。
【請求項４】
前記保持枠に保持されるケースユニットを備え、
前記制御ユニットは、前記ケースユニットに内装されていることを特徴とする請求項１乃至請求項３のいずれか一項に記載の照明システム。
【請求項５】
前記保持枠は、前記導電部材を覆い、且つ移動自在なカバー部材を備え、
前記カバー部材を移動させることにより、前記導電部材が前記ＥＬユニットに対して露出することを特徴とする請求項１乃至請求項４のいずれか一項に記載の照明システム。
【請求項６】
前記保持枠は長尺状であり、その長手方向両端部間に亘って形成された一対の凹条を備え、
前記ＥＬユニットは、前記保持枠と対向する面に、前記凹条と係合する一対の凸部を備え、該凸部を前記凹条に係合させることにより前記保持枠に保持されることを特徴とする請求項１乃至請求項５のいずれか一項に記載の照明システム。
【請求項７】
前記保持枠は長尺状であり、その長手方向に沿う一方の縁部に形成されたフック部と、他方の縁部に形成された凹部と、を備え、
前記フック部は、前記長手方向に直交する方向に付勢された状態でスライド可能であり、
前記ＥＬユニットは、前記保持枠と対向する面に、前記フック部と係合する被フック部と、前記凹部に係止される凸部と、を備え、前記凸部を前記凹部に係止させると共に、前記被フック部を前記フック部に係止させることにより前記保持枠に保持されることを特徴とする請求項１乃至請求項５のいずれか一項に記載の照明システム。
【請求項８】
前記保持枠は長尺状であり、その長手方向に沿う両縁部に形成された一対の凹部を備え、
前記ＥＬユニットは、前記保持枠と対向する面に、前記凹部と係止される一対の凸部を備え、該一対の凸部の一方が前記保持枠の長手方向に直交する方向に付勢された状態でスライド可能であり、該一方の凸部を前記凹部に係止させると共に、他方の凸部を前記凹部に係止させることにより前記保持枠に保持されることを特徴とする請求項１乃至請求項５のいずれか一項に記載の照明システム。
【請求項９】
前記ＥＬユニットは、前記保持枠と対向する面に該保持枠に向けて突出した固定部を備え、
前記固定部は、その突出方向と直交する方向に付勢された状態でスライド可能な一対の爪部を有し、
前記保持枠は、前記固定部と対向する位置に前記爪部が係止される受け部を有し、
前記ＥＬユニットは、前記一対の爪部を前記受け部に係止させることにより前記保持枠に保持されることを特徴とする請求項１乃至請求項５のいずれか一項に記載の照明システム。
【請求項１０】
前記ＥＬユニットは、前記保持枠と対向する面に、該保持枠に向けて突出した固定部を備え、
前記固定部は、その突出方向と直交する方向に付勢された状態でスライド可能な一対の爪部を有し、
前記保持枠は長尺状であり、その長手方向両端部間に亘って前記爪部が係止される受け条を有し、
前記ＥＬユニットは、前記一対の爪部を前記受け条に係止させることにより前記保持枠に保持されることを特徴とする請求項１乃至請求項５のいずれか一項に記載の照明システム。
【請求項１１】
前記ＥＬユニットと前記保持枠とが、ワイヤにより結線されていることを特徴とする請求項１乃至請求項１０のいずれか一項に記載の照明システム。
【請求項１２】
前記制御ユニット及び前記ＥＬユニットは相互認証を行い、
前記制御ユニットは、前記ＥＬユニットが認証されたものであるときに、該ＥＬユニットに対して電力を供給することを特徴とする請求項１乃至請求項１１のいずれか一項に記載の照明システム。
【請求項１３】
前記制御ユニットは、前記ＥＬユニットが前記保持枠から取り外されたときに警告信号を出力することを特徴とする請求項１乃至請求項１２のいずれか一項に記載の照明システム。
【請求項１４】
前記制御ユニットは、管理者によって管理情報が入力されたときに、前記警告信号を出力しないことを特徴とする請求項１３に記載の照明システム。
【発明の詳細な説明】
【技術分野】
【０００１】
本発明は、光源にＥＬ素子を用いた照明システムに関する。
【背景技術】
【０００２】
エレクトロルミネッセンス（ＥＬ）素子は、正電極及び負電極間に発光層を配置して構成された発光部が透明基板上に形成されたものである。ＥＬ素子は、上記電極間に電圧印加されたとき、発光層にキャリアとして注入された電子及びホールの再結合により生成された励起子によって発光する。
【０００３】
ＥＬ素子は、発光層を有機化合物で形成した有機ＥＬ素子と、無機化合物で形成した無機ＥＬ素子に大別される。特に、有機ＥＬ素子は、低電圧で高輝度の発光が可能であり、有機化合物の種類によって様々な発光色が得られ、また、平面状の発光パネルとしての製造が容易であることから、近年、照明器具の光源に用いることが注目されている。
【０００４】
この種のＥＬ素子を用いた発光装置として、ＥＬ素子を用いた発光パネルと、この発光パネルを点灯制御する回路基板とがケース内に組み込まれてモジュール化されたものが知られている（例えば、特許文献１参照）。
【先行技術文献】
【特許文献】
【０００５】
【特許文献１】特開平１０−１８９２３９号公報
【発明の概要】
【発明が解決しようとする課題】
【０００６】
しかしながら、上記特許文献１に記載の発光装置においては、これを壁面等の施工面に施工する際に、給電用の配線を設ける必要があり、見栄えが悪くなる。一方、空間の美観を損ねないように、これら配線を建材等で覆うと、居住空間を圧迫する虞がある。また、複数のＥＬユニットを用いた照明システムにおいては、ＥＬユニットに対して電力を供給する電源部と、ＥＬユニットに御情報等の通信信号を送受信する制御部とが個別に設けられ、それらが異なる経路で各ＥＬユニットに接続されていた。この場合、壁や天井の内部に電源ライン及び情報ラインの双方の配線のためのスペースが必要となり、そのスペース確保のために居住空間に制約を与えることがあった。また、配線が複雑になるので、施工に際して特殊な技能や工数を要し、エンドユーザには施工及び維持が容易でなく、この主の照明システムを一般居住等に導入され難い原因となっていた。
【０００７】
本発明は、上記課題に鑑みてなされたものであり、居住空間における配線スペースを小さくすることができ、施工及び光源の交換が容易な照明システムを提供することを目的とする。
【課題を解決するための手段】
【０００８】
上記課題を解決するため、本発明は、発光部を有するＥＬユニットと、前記ＥＬユニットを保持する保持枠と、前記ＥＬユニットを点灯制御する制御ユニットと、を備え、前記保持枠は、レール状の導電部材を備え、前記導電部材を通して前記制御ユニットと前記ＥＬユニットとの間で電力及び通信信号を伝達し、前記保持枠の両端部に配設され、前記導電部材を保護する一対の保護ユニットを更に備え、前記制御ユニットは、前記保護ユニットの一方に内装されていることを特徴とする。
【０００９】
上記照明システムにおいて、前記ＥＬユニットは、前記制御ユニットからの通信信号を受けて前記発光部の発光状態を制御する制御部を有することが好ましい。
【００１０】
上記照明システムにおいて、前記制御ユニットは、前記導電部材に電力を送電する電源部を有することが好ましい。
【００１２】
上記照明システムにおいて、前記保持枠に保持されるケースユニットを備え、前記制御ユニットは、前記ケースユニットに内装されていることが好ましい。
【００１３】
上記照明システムにおいて、前記保持枠は、前記導電部材を覆い、且つ移動自在なカバー部材を備え、前記カバー部材を移動させることにより、前記導電部材が前記ＥＬユニットに対して露出することが好ましい。
【００１４】
上記照明システムにおいて、前記保持枠は長尺状であり、その長手方向両端部間に亘って形成された一対の凹条を備え、前記ＥＬユニットは、前記保持枠と対向する面に、前記凹条と係合する一対の凸部を備え、該凸部を前記凹条に係合させることにより前記保持枠に保持されることが好ましい。
【００１５】
上記照明システムにおいて、前記保持枠は長尺状であり、その長手方向に沿う一方の縁部に形成されたフック部と、他方の縁部に形成された凹部と、を備え、前記フック部は、前記長手方向に直交する方向に付勢された状態でスライド可能であり、前記ＥＬユニットは、前記保持枠と対向する面に、前記フック部と係合する被フック部と、前記凹部に係止される凸部と、を備え、前記凸部を前記凹部に係止させると共に、前記被フック部を前記フック部に係止させることにより前記保持枠に保持されることが好ましい。
【００１６】
上記照明システムにおいて、前記保持枠は長尺状であり、その長手方向に沿う両縁部に形成された一対の凹部を備え、前記ＥＬユニットは、前記保持枠と対向する面に、前記凹部と係止される一対の凸部を備え、該一対の凸部の一方が前記保持枠の長手方向に直交する方向に付勢された状態でスライド可能であり、該一方の凸部を前記凹部に係止させると共に、他方の凸部を前記凹部に係止させることにより前記保持枠に保持されることが好ましい。
【００１７】
上記照明システムにおいて、前記ＥＬユニットは、前記保持枠と対向する面に該保持枠に向けて突出した固定部を備え、前記固定部は、その突出方向と直交する方向に付勢された状態でスライド可能な一対の爪部を有し、前記保持枠は、前記固定部と対向する位置に前記爪部が係止される受け部を有し、前記ＥＬユニットは、前記一対の爪部を前記受け部に係止させることにより前記保持枠に保持されることが好ましい。
【００１８】
上記照明システムにおいて、前記ＥＬユニットは、前記保持枠と対向する面に、該保持枠に向けて突出した固定部を備え、前記固定部は、その突出方向と直交する方向に付勢された状態でスライド可能な一対の爪部を有し、前記保持枠は長尺状であり、その長手方向両端部間に亘って前記爪部が係止される受け条を有し、前記ＥＬユニットは、前記一対の爪部を前記受け条に係止させることにより前記保持枠に保持されることが好ましい。
【００１９】
上記照明システムにおいて、前記ＥＬユニットと前記保持枠とが、ワイヤにより結線されていることが好ましい。
【００２０】
上記照明システムにおいて、前記制御ユニット及び前記ＥＬユニットは相互認証を行い、前記制御ユニットは、前記ＥＬユニットが認証されたものであるときに、該ＥＬユニットに対して電力を供給することが好ましい。
【００２１】
上記照明システムにおいて、前記制御ユニットは、前記ＥＬユニットが前記保持枠から取り外されたときに警告信号を出力することが好ましい。
【００２２】
上記照明システムにおいて、前記制御ユニットは、管理者によって管理情報が入力されたときに、前記警告信号を出力しないことが好ましい。
【発明の効果】
【００２３】
本発明によれば、制御ユニットとＥＬユニットとの接続が、ＥＬユニットを保持する保持枠に設けられた導電部材によって成されるので、居住空間における配線のためのスペースを小さくすることができる。また、施工面に施工された保持枠に、ＥＬユニット及び制御ユニットを連結するだけでそれらの接続が成されるので、特殊な技能等を要さず、居住者が適宜に照明システムを施工することができ、ＥＬユニットの交換も容易に行なうことができる。
【図面の簡単な説明】
【００２４】
【図１】本発明の第１の実施形態に係る照明システムの斜視図。
【図２】同照明システムのブロック構成図。
【図３】同照明システムの分解斜視図。
【図４】同照明システムに用いられる保護ユニット（フロントキャップ）の斜視図。
【図５】同照明システムに用いられるＥＬユニットの斜視図。
【図６】同ＥＬユニットのサイズを説明するための斜視図。
【図７】同照明システムの端部側から見た側面図。
【図８】同照明システムの変形例の分解斜視図。
【図９】同照明システムの動作フローを示す図。
【図１０】同照明システムの詳細な動作フローを示すフローチャート。
【図１１】同照明システムの詳細な動作フローを示すフローチャート。
【図１２】同照明システムの詳細な動作フローを示すフローチャート。
【図１３】（ａ）は従来の照明システムの配線経路を示す模式図、（ｂ）は上記実施形態に係る照明システムの配線経路を示す模式図。
【図１４】同照明システムの変形例の分解斜視図。
【図１５】同変形例のブロック構成図。
【図１６】同照明システムの別の変形例の一部分解斜視図。
【図１７】同変形例に用いられる保持枠の上面図。
【図１８】（ａ）（ｂ）は同変形例の端部側から見た側面図。
【図１９】本発明の第２の実施形態に係る照明システムに用いられる保持枠の斜視図。
【図２０】同照明システムに用いられるＥＬユニットの斜視図。
【図２１】（ａ）（ｂ）は同照明システムの端部側から見た側面図。
【図２２】本発明の第３の実施形態に係る照明システムに用いられる保持枠の斜視図。
【図２３】同照明システムに用いられるＥＬユニットの斜視図。
【図２４】（ａ）（ｂ）は同照明システムの端部側から見た側面図。
【図２５】同照明システムの変形例の分解斜視図。
【図２６】同変形例に用いられる保持枠の上面図。
【図２７】（ａ）（ｂ）は同変形例の端部側から見た側面図。
【図２８】本発明の第４の実施形態に係る照明システムに用いられるＥＬユニットの斜視図。
【図２９】同照明システムに用いられる保持枠の斜視図。
【図３０】（ａ）（ｂ）は同照明システムの端部側から見た側面図。
【図３１】同照明システムの変形例に用いられる保持枠の斜視図。
【図３２】（ａ）（ｂ）は同保持枠の部分拡大図。
【図３３】同変形例の導電部材及び給電端子の端部側から見た拡大側面図。
【図３４】本発明の第５の実施形態に係る照明システムに用いられるＥＬユニットの斜視図。
【図３５】同照明システムに用いられる保持枠の斜視図。
【図３６】同照明システムに用いられる固定部及び受け条の拡大斜視図。
【図３７】（ａ）（ｂ）は同照明システムの端部側から見た側面図。
【図３８】本発明の第６の実施形態に係る照明システムの端部側から見た側面図。
【図３９】本発明の第７の実施形態に係る照明システムの動作フローを示す図。
【図４０】同照明システムの詳細な動作フローを示すフローチャート。
【図４１】同照明システムの変形例における詳細な動作フローを示すフローチャート。
【発明を実施するための形態】
【００２５】
本発明の第１の実施形態に係る照明システムについて、図１乃至図１３を参照して説明する。図１に示すように、本実施形態の照明システム１は、有機ＥＬ素子を用いた発光部２０を有するＥＬユニット２と、ＥＬユニット２を保持する保持枠３と、ＥＬユニット２を点灯制御する制御ユニット４と、を備える。保持枠３は、レール状の導電部材３０を備える。導電部材３０は、制御ユニット４と前記ＥＬユニット２との間で電力及び通信信号を伝達するものである。また、保持枠３の両端部には、導電部材３０の端部を保護する一対の保護ユニット５が配設される。保護ユニット５は、保持枠３の一方の側端部に取り付けられるフロントキャップ５１と、他方の側端部に取り付けられるエンドキャップ５２とから構成される。図例では、１つの保持枠３に対して１つのＥＬユニット２が設けられた構成を示すが、本実施形態の照明システム１は、１つの保持枠３に対して複数のＥＬユニット２を設けることができ、各ＥＬユニット２に対して所定のアドレスが設定される。また、制御ユニット４は、それら複数のＥＬユニット２を個別に点灯制御することができる。なお、同図において、保持枠３としてＥＬユニット２の２倍程度の長さのものを示しているが、実際にはより長尺のものが用いられ、複数の保持枠３が連結されて用いられてもよい。
【００２６】
図２に示すように、制御ユニット４は、商用電源を所定の直流電流に変換する電源部４１と、発光部２０への電力及び通信情報を制御する主制御部４２と、主制御部４２の制御を受けて、導電部材３０に電力及び通信情報を送信する主送受信部４３と、を備える。本実施形態において、制御ユニット４は、フロントキャップ５１（保護ユニット５の一方）に内装されている。フロントキャップ５１が保持枠３の端部に配設されたとき、主送受信部４３が導電部材３０に接触し、これらが電気的に接続される。電源部４１は、スイッチング電源を含むＡＣ／ＤＣコンバータ、変圧器等から構成され、導電部材３０へ送電される電流を生成する。なお、電源部４１には、商用電源から供給された交流電流を直流電流を変換してこれを貯える２次電池が別途設けられてもよく、また、商用電源に接続されず、適宜に交換される汎用で電池が用いられてもよい。電源部４１が、制御ユニット４内に設けられることにより、システム構成が簡易になり、照明システム１をエンドユーザにも施工し易いものとすることができる。主制御部４２は、汎用のＣＰＵ及びメモリ等の制御及び記憶デバイス等から構成される。この主制御部４２は、保持枠３に保持されたＥＬユニット２を認識し、このＥＬユニット２に対して所定の電力を供給するように主送受信部４３を制御する。このとき、直流電圧に高周波の搬送波によりデータを伝送する通信信号を重畳する、いわゆる電力線搬送通信が行われる。この電力線通信に基づいて、ＥＬユニット２の消費電力や使用時間等の電力使用状態を含む通信情報が送信され、ＥＬユニット２の制御が行われる。主送受信部４３は、電圧制御回路及びインバータ回路等を有し、主制御部４２の制御により、上述したように、通信情報が重畳された直流電流を導電部材３０へ送電する。また、制御ユニット４は、管理者がシステムに用いられるＥＬユニット２のアドレス情報や調光情報等の管理情報を入力するためのインターフェース部（不図示）を備える。
【００２７】
保持枠３は、フロントキャップ５１及びエンドキャップ５２が設けられる両端部間に亘ってレール状の導電部材３０が配されている。導電部材３０には、銅箔板等の導電性金属板が用いられる。導電部材３０の一面の一部又は全部が、ＥＬユニット２に向けて露出しており、この露出部分がＥＬユニット２との給電ポイントとなる。なお、図例では、導電部材３０が一片の板状部材として示されているが、正電極線及び負電極線の双方が互いに絶縁されて併設されている。
【００２８】
ＥＬユニット２は、発光部２０に加えて、発光部２０の発光状態を制御するパネル制御部２１と、導電部材３０と電気的に接続されるパネル送受信部２２と、を備える。発光部２０は、透光性を有する矩形の基板上に、透明導電膜から成る正電極、発光機能を有する発光層、光反射性を有する負電極を、順に積層した発光部（不図示）が形成され、発光部の外側が封止材で被覆されたものである。本実施形態においては、発光層に有機発光材料を用いた有機ＥＬ素子が好適に用いられる。発光部２０は、発光面とは反対側の面に、補助電極等介して、上記正電極及び負電極の夫々に対応する電極取り出し端子２０ａ（後述する図５参照）が設けられている。パネル制御部２１は、汎用のマイコン、メモリ及び変圧回路等の各種素子が配線基板上に実装されたものであり、導電部材３０からの電力及び制御ユニット４からの通信信号を受けて発光部２０の発光状態を直接的に制御する。また、ＥＬユニット２（発光部２０）のアドレスや構成等の情報を制御ユニット４の主制御部４２へ送信する。パネル送受信部２２は、導電部材３０と接触する接続端子等を含み、導電部材３０とパネル制御部２１とを電気的に接続する。
【００２９】
次に、照明システム１を成す保持枠３、保護ユニット５（フロントキャップ５１及びエンドキャップ５２）及びＥＬユニット２等の構造的な特徴を説明する。図３に示すように、保持枠３は、長尺状の部材であり、室内壁や建材等の施工面に固定される固定面３１の一方の面の中央部に、一対の凸条部３２が長手方向に沿って形成されており、これら一対の凸条部３２に挟まれた凹条部の底面に導電部材３０が配されている。導電部材３０は、上述したように、銅箔板が用いられ、好ましくは、この表面に溶着防止のための銀メッキ等が施される。固定面３１のうち導電部材３０が配されていない面は、平滑な面として形成される。固定面３１の縁部は、保持枠３の短手方向に鍔状に突出している（後述する図７も参照）。こうすれば、施工時に保持枠３の表裏を区別し易くなり、また、固定面３１と施工面との接触面積が大きくなるので施工安定性を良くすることができる。
【００３０】
保持枠３の両縁部３３は、固定面３１から垂直に立設され、凸条部３２の突出高さよりも高くなるように、また所定の幅を有するように肉厚に形成されている。これら両縁部３３は、外縁側が高くなるように段違いに形成されており、その外縁がＥＬユニット２の裏面縁部と当接する。一方、両縁部３３の内縁には、保持枠３の長手方向両端部間に亘って夫々凹条３３ａが形成されている。これら一対の凹条３３ａは、保持枠３の両縁部３３に、導電部材３０に対して対称に配置される。また、両縁部３３の側端面には、フロントキャップ５１及びエンドキャップ５２を固定するネジを挿通させるためのネジ孔３４が夫々形成されている。保持枠３の固定面３１には、導電部材３０、凸条部３２及び両縁部３３以外の場所に、所定間隔で保持枠３を施工面に固定するためのネジ等を挿通させるための孔部（不図示）が形成されている。保持枠３の構成材料としては、例えば、ＡＢＳ樹脂やアクリル樹脂、ポリスチレン樹脂等のプラスチック材料、又は表面に絶縁処理が施されたアルミニウム等の金属材料が用いられる。
【００３１】
フロントキャップ５１及びエンドキャップ５２は、保持枠３と当接する端面が保持枠３の両端部に夫々対応した形状に形成されている。これらの厚み（施工面からの高さ）は、保持枠３の両縁部３３の最も厚い部分と略等しい厚みとされる。また、フロントキャップ５１及びエンドキャップ５２の縁部には、保持枠３のネジ孔３４と連続するように、貫通孔５３，５４が形成されている。これら貫通孔５３，５４に挿通されたネジ（不図示）が、ネジ孔３４にネジ止めされることによって、フロントキャップ５１及びエンドキャップ５２が保持枠３の両端部に夫々連結される。なお、これらの連結方法として、例えば、バネ片等によってそれらを連結させてもよく、フロントキャップ５１及びエンドキャップ５２を保持枠３に適宜に着脱できるものであれば、上述したネジ固定に限られない。フロントキャップ５１及びエンドキャップ５２の施工面側の縁部は、保持枠３の両縁部と連続するように鍔状に突出している。こうすれば、保持枠３への連結に際してフロントキャップ５１及びエンドキャップ５２の表裏を区別し易くすることができる。
【００３２】
本実施形態のフロントキャップ５１は、保持枠３が連結される方向に所定の幅を有するケース状の部材であり、図４に示すように、制御ユニット４を内装するための収納部５５を有する。フロントキャップ５１は、収納部５５内から保持枠３と連結される端部に向けて、信号入出力用の接点部４４が設けられる。接点部４４は、収納部５５に内装された制御ユニット４の主送受信部４３（図２参照）と接触し、また、フロントキャップ５１の端部から僅かに突出するように形成され、フロントキャップ５１が保持枠３に連結されたときに、保持枠３の導電部材３０に接触する。これにより、制御ユニット４の主送受信部４３（図２参照）は、接点部４４を介して保持枠３の導電部材３０に電気的に接続される。この接点部４４も、導電部材３０同様に、溶着防止のための銀メッキ等が施される。フロントキャップ５１の保持枠３と連結される端部には、接点部４４を挟むように、２つの位置決め穴５６が形成されている。保持枠３の端部には、凸条部３２と連続するように位置決めピン（不図示）が設けられており、この位置決めピンが位置決め穴５６に嵌め込まれて、保持枠３とフロントキャップ５１との位置決めがなされる。貫通孔５３には、保持枠３と連結される端部と反対側の端部において、孔径が大きな皿穴５７が形成され、この皿穴５７にネジのネジ等が収納される。こうすれば、ネジ頭が露出せず、外観を良くすることができる。
【００３３】
図５に示すように、ＥＬユニット２は、発光部２０を収容するケース２３を有する。ケース２３の前面は、透光性を有し、発光部２０からの光を導出する面として形成される。ケース２３の後面（保持枠３と対向する面）には、パネル制御部２１（図２参照）を収容する凹部２４と、パネル送受信部２２に設けられた給電端子２２ａを覆うガイドブロック２５と、発光部２０の電極取り出し端子２０ａを露出させる開口部２６とが形成される。また、本実施形態においては、ケース２３の後面に、保持枠３の凹条３３ａと係合する一対の凸部２７が形成されている。ガイドブロック２５と凹部２４との間、及び凹部２４と開口部２６との間は、夫々配線溝が形成される。ガイドブロック２５は、保持枠３の一対の凸条部３２間に嵌まる大きさに形成される。給電端子２２ａは、その先端がガイドブロック２５から僅かに突出するように配置され、この突出方向に付勢されている。給電端子２２ａも、接点部４４及び導電部材３０同様に、溶着防止のための銀メッキ等が施される。ケース２３の構成材料としては、保持枠３と同様のプラスチック材料又は金属材料等が用いられる。
【００３４】
図６に示すように、ＥＬユニット２は、例えば、１５０ｍｍ角の正方形状とされる。こすれば、２行２列となるように４枚のＥＬユニット２を格子状に配置したときに、建材の標準パネルサイズである３００ｍｍ角となる。すなわち、このサイズであれば、照明システム１を建材に溶け込んだ形で構成することができ、居住者等に対して、照明器具が存在せず、壁や天井が光るような視覚的効果を与えることができる。
【００３５】
本実施形態においては、上述した図３及び図７に示すように、ＥＬユニット２を保持枠３の端部からスライドさせて挿入させて、ＥＬユニット２の凸部２７を保持枠３の凹条３３ａに係止させることにより、ＥＬユニット２が保持枠３に保持される。このとき、ＥＬユニット２の給電端子２２ａが保持枠３の導電部材３０に当接して、これらが電気的に接合される。ＥＬユニット２の凸部２７及びガイドブロック２５が、夫々保持枠３の凹条３３ａ及び凸条部３２にガイドされることによって、ＥＬユニット２は、保持枠３の長手方向に沿ってスライド自在に保持される。このように、ＥＬユニット２が保持枠３の所定位置に保持された状態で、保持枠３の一方の端部にフロントキャップ５１が配設されてることにより、フロントキャップ５１内の制御ユニット４とＥＬユニット２とが導電部材３０によって電気的に接続される。また、保持枠３の他方の端部にエンドキャップ５２が設けられることにより、導電部材３０の端部が保護される。これにより、照明システム１の施工がなされる。この構成によれば、長尺状の保持枠３が施工された任意の位置にＥＬユニット２を配置することができ、照明システム１によって実現される照明空間を、居住者が自由に設定することができる。なお、ＥＬユニット２の交換に際しては、フロントキャップ５１又はエンドキャップ５２のいずれかを外して、保持枠３に沿ってＥＬユニット２をスライドさせて、保持枠３の端部から取り外せばよい。
【００３６】
壁や天井を構成する建材の標準パネルには、１２ｍｍ厚のものがある。保持枠３及びＥＬユニット２は、ＥＬユニット２が保持枠３に保持された状態における厚みが１２ｍｍ以下となるように形成される。従って、保持枠３及びＥＬユニット２の厚みを１２ｍｍ以下とすれば、これらを建材に組み込んだ際に、ＥＬユニット２が突出せず、空間の広がり感を向上させることができ、また、居住者に対して建材（壁）自体が光るような視覚的効果を与えることができる。
【００３７】
保持枠３においてＥＬユニット２が保持されていない箇所には、図８に示すように、ＥＬユニット２と略同形状に形成されたケースユニット５８が保持されていてもよい。このケースユニット５８は、保持枠３の導電部材３０等を隠す、いわゆるダミーケースであり、これを設けることにより、照明システム１の見栄えを良くすることができる。また、ケースユニット５８には、例えば、人感センサ等のＥＬユニット２以外のデバイスが内装されてもよい。この種のデバイスも、ＥＬユニット２と同様に、保持枠３の導電部材３０を介して制御ユニット４に接続され、照明システム１に組み込まれる。
【００３８】
次に、本実施形態の照明システム１の動作パターンについて、上述した図２に加えて図９乃至図１２を参照して説明する。照明システム１は、図９に示すように、制御ユニット４とＥＬユニット２との間で、（１）監視（検出）フェーズ、（２）認証・構成フェーズ、（３）給電フェーズを定期的且つ定常的に繰り返すことにより、通信及び給電を行なう。ここで、（１）監視（検出）フェーズは、制御ユニット４が導電部材３０に接続されたＥＬユニット２の接続状態を監視し、その接続を検出するフェーズである。このフェーズにおいて、制御ユニット４は、導電部材３０を通じて検出信号を出力する。この検出信号には、制御ユニット４から送信される通信信号における周波数変調、電力の容量、電流変化等の情報が含まれる。ＥＬユニット２は、導電部材３０を通じて上記検出信号を受信すると、制御ユニット４へ確認信号を出力する。制御ユニット４がこの確認信号を受信すると、照明システム１は（２）認証・構成フェーズへ移行する。なお、これらの信号の送受信は、制御ユニット４においては、主制御部４２の制御を受けて主送受信部４３によって行われ、ＥＬユニット２においては、パネル制御部２１の制御を受けてパネル送受信部２２によって行われるが、ここでは、制御ユニット４及びＥＬユニット２が行っているものとして説明する。
【００３９】
ところで、保持枠３にＥＬユニット２が保持されていないとき、又はＥＬユニット２が導電部材３０に適切に接続されていないとき等は、ＥＬユニット２からの確認信号が送信されない。そこで、制御ユニット４は、図１０に示すように、検出信号の送信後の所定時間内に確認信号の受信が無かった場合には、導電部材３０へ給電できないものと判断し、確認信号を受信したときに（２）認証・構成フェーズへ移行する。
【００４０】
（２）認証・構成フェーズは、制御ユニット４が、上記（１）監視（検出）フェーズにおいて接続状態が確認されたＥＬユニット２のアドレス及びその構成を確認するフェーズである。このフェーズにおいても、まず、制御ユニット４から、導電部材３０を介して、ＥＬユニット２に対して確認信号が出力される。ＥＬユニット２は、この確認信号を受けて、自身に割り当てられたアドレス情報や、ＥＬユニット２に組み込まれた発光部２０の定格電流等の情報を制御ユニット４へ出力する。これらの情報（パケット）は、制御ユニット４のメモリ（主制御部４２）に書き込まれる。制御ユニット４は、これらの情報を受けると、ＥＬユニット２を照明システム１に適合したものであると認証する。そして、照明システム１は（３）給電フェーズへ移行する。一方、導電部材３０に接続された媒体が存在したとしても、これが照明システム１に適合しないものである場合、上述した情報の送受信が行われない。このとき、ＥＬユニット２の認証が行われず、制御ユニット４は、図１１に示すように、導電部材３０へ給電できないものと判断する。
【００４１】
（３）給電フェーズは、実際に制御ユニット４から所定の直流電流が供給され、ＥＬユニット２が点灯されるモードである。このフェーズにおいて、ＥＬユニット２からこのＥＬユニット２に組み込まれた発光部２０の運転（点灯）時間等に関する情報が制御ユニット４に提供される。制御ユニット４は、図１２に示すように、発光部２０の運転時間が、定格駆動時間（寿命時間）を越えているかを判断し、超えている場合は、ＥＬユニット２の交換を推奨する通知を行なう。この通知は、例えば、所定周期で交換対象のＥＬユニット２を点滅させること等により行われる。一般に、有機ＥＬ素子の発光寿命は、発光層に用いられる有機材料の経時劣化に依存し、発光輝度が次第に低下するので、居住者（管理者）が気付き難いことがある。そこで、照明システム１においては、寿命時間を越えたＥＬユニット２を、従来の蛍光灯がランプ切れするかのように点滅させることにより、ＥＬユニット２の交換時期を居住者に通知する。そして、ＥＬユニット２が取り外されたときに、上記通知は解除され、取り外されないときは、再び所定周期で上記通知が行なわれる。また、ＥＬユニット２が取り外されない場合であっても、管理者が制御ユニット４に設けれられたインターフェース部を操作することにより、上記通知を適宜に解除することができ、またその通知周期を任意に設定することができる。
【００４２】
従来の照明システムにおいては、図１３（ａ）に示すように、ＥＬユニット等の照明負荷（△）に対して電力を供給する電源部（○）と、照明負荷の制御情報等の通信信号を送受信する制御部（□）とが個別に設けられ、それらが異なる経路で各照明負荷に接続されている。この場合、壁や天井の内部に電源ライン及び情報ラインの双方の配線のためのスペースが必要となり、そのスペース確保のために居住空間に制約を与えることがあった。また、配線が複雑になるので、施工に際して特殊な技能や工数を要した。これに対して、本実施形態の照明システム１は、制御ユニット４とＥＬユニット２とが、ＥＬユニット２を保持する保持枠３に設けれらた導電部材３０によって電気的に接続され、導電部材３０によってこれらの間の電力及び通信情報の伝送が行われる（図１及び図２参照）。つまり、図１３（ｂ）に示すように、ＥＬユニット等の照明負荷（△）に対して電力を供給する電源部（○）と、照明負荷の制御情報等の通信信号を送受信する制御部（□）とが一体化されている。また、それらが同じ経路で各照明負荷に接続されている。しかも、この配線が、ＥＬユニット２を保持する保持枠３に設けられた導電部材３０によって成されるので、従来のような配線のためのスペースが不要となり、開放感ある居住空間を実現することができる。また、保持枠３を施工面に固定し、この保持枠３にＥＬユニット２及び制御ユニット４を連結するだけで配線が成されるので、特殊な技能等を要さず、居住者が適宜に照明システム１を施工することができ、ＥＬユニット２の交換も容易に行なうことができる。
【００４３】
また、従来の電源ラインは、照明負荷に一定電圧をかけ続けるだけであり、情報ラインは、電気のＯＮ／ＯＦＦや調光等に対して、単純な命令を与えるのみであった。そのため、複数の照明負荷を用いて空間の照明演出等を実現できるような高い機能性を有する照明システムにおいては、照明負荷毎の個別具体的な設定は、施工時に行なわれる必用があった。この設定には、施工に一定のノウハウやスキルが必要であり、この種の照明システムを一般的な住宅やオフィス等に採用することが容易でなかった。これに対して、本実施形態の照明システム１は、電源ラインと情報ラインを一つの制御ユニット４からの信号に集約され、各ＥＬユニット２の詳細な調光制御は、端末側のＥＬユニット２に設けられたパネル制御部２１（図２参照）によってなされる。従って、個々のＥＬユニット２には特別な設定を施す必要がなく、ノウハウ等の無いエンドユーザであっても、ＥＬユニット２の施工及び取り換えを容易に行なうことができる。
【００４４】
更に、本実施形態の照明システム１においては、導電部材３０が、保持枠３の中央部に、その長手方向に沿って形成されている。この構成によれば、導電部材３０（正電極線及び負電極線）が保持枠３の両縁部３３に形成された構成に比べて、各電極線の距離が短くなるので、ノイズを発生し難くすることができる。また、施工面に複数の保持枠３が一定間隔で併設された場合であっても、隣り合う保持枠３に設けられた導電部材３０との距離が近接せず、一定の間隔を確保することができる。そのため、電力及び通信情報の伝送に際して、他の導電部材３０のノイズに影響され難くなり、制御ユニット４がＥＬユニット２を安定的に点灯制御することができる。
【００４５】
本実施形態の変形例に係る照明システムについて、図１４及び図１５を参照して説明する。図１４に示すように、この変形性に係る照明システム１は、上記図８で示した構成と同様に、保持枠３のＥＬユニット２が保持されていない箇所にケースユニット５８が設けられ、このケースユニット５８に制御ユニット４が内装されているものである。フロンドキャップ５１は、保持枠３の端部に配置されて、導電部材３０の端部を絶縁保護するものであり、上述したエンドキャップ５２と同様のものが用いられる。また、図１５に示すように、電源部４１が制御ユニット４外に設けられている。他の構成は、上記実施形態と同様である。
【００４６】
この変形例は、保持枠３に保持されるケースユニット５８に制御ユニット４が内装されるので、施工面において保持枠３の端部方向に、上記実施形態で示したサイズのフロントキャップ５１を配設するスペースが無い場合に好適に用いられる。また、この変形例においては、電源部４１を保持枠３及びＥＬユニット２から離れた位置に設けているので、これら保持枠３及びＥＬユニット２における電源部４１からの熱による影響を受け難くすることができる。
【００４７】
本実施形態の別の変形例に係る照明システムについて、図１６乃至図１８を参照して説明する。図１６及び図１７に示すように、この変形性に係る照明システム１は、保持枠３は、導電部材３０を覆い、且つ移動自在なカバー部材３５ａを備えたものである。この変形例においては、一対の凸条部３２の一方にヒンジ機構３６ａが設けられ、このヒンジ機構３６ａを介して、導電部材３０だけでなく一対の凸条部３２の上面を覆うようにカバー部材３５ａが設けられている。ヒンジ機構３６ａは、カバー部材３５ａを保持枠３の長手方向方向と直交する方向に回転自在とするものであり、内蔵されたバネ部材（不図示）によって、導電部材３０を覆う位置で静止するように付勢されている。この付勢方向に逆らってカバー部材３５ａを回転移動させることにより、導電部材３０がＥＬユニット２に対して露出する。
【００４８】
この変形例においては、ＥＬユニット２が保持枠３に保持されていないとき、図１８（ａ）に示すように、カバー部材３５ａは導電部材３０を覆う位置に存在する。そして、施工者が指でカバー部材３５ａを回転させた状態で、保持枠３の端部からＥＬユニット２をスライド挿入することにより、図１８（ｂ）に示すように、ＥＬユニット２が保持枠３に保持されると共に、ＥＬユニット２の給電端子２２ａと導電部材３０とが電気的に接続される。なお、ヒンジ機構３６ａに換えて、カバー部材３５ａを水平に移動させるスライド機構が設けられてもよい。
【００４９】
この構成によれば、上記図１６で示したように、保持枠３のＥＬユニット２が保持されていない箇所において、導電部材３０がカバー部材３５ａによって覆われるので、導電部材３０を埃等から保護することができる。また、保持枠３のＥＬユニット２が保持されていない箇所には、上記図８で示したようなダミーのケースユニット５８が設けられてもよく、本変形例のカバー部材３５ａと併用することで、導電部材３０を埃等からより確実に保護することができる。
【００５０】
次に、本発明の第２の実施形態に係る照明システムについて、図１９乃至図２１を参照して説明する。図１９に示すように、本実施形態の照明システム１は、保持枠３は長尺状であり、その長手方向に沿う一方の縁部３３ｂに形成されたフック部３８と、他方の縁部３３ｃに形成された凹部３３ｄと、を備えるものである。フック部３８は、その一部が縁部３３ｂに埋め込まれており、保持枠３の長手方向に直交する方向に付勢された状態でスライド可能に構成されている。また、フック部３８は、縁部３３ｂの内側に露出した鉤部３８ａと、この鉤部３８ａを保持枠３の縁部３３ｂの方向へ付勢する付勢バネ３８ｂと、縁部３３ｂの外側に露出したプッシュボタン３８ｃとを備える。また、導電部材３０は、固定面３１内に埋め込まれており、ＥＬユニット２の取付箇所に対応する部分のみが露出している。また、この導電部材３０の露出箇所に近接する部分には、保持枠３の凸条部３２が部分的に形成されていない。
【００５１】
また、図２０に示すように、本実施形態の照明システム１は、上記保持枠３に対応して、ＥＬユニット２が、保持枠３と対向する面に、フック部３８と係合する被フック部２７ａを備える。他の構成は、上記第１の実施形態と同様である。
【００５２】
次に、本実施形態における保持枠３へのＥＬユニット２の取付手順を説明する。まず、図２１（ａ）に示すように、保持枠３の縁部３３ｂにあるプッシュボタン３８ｃを押し込んで、鉤部３８ａを導電部材３０の方向へスライド移動させる。この状態で、ＥＬユニット２の凸部２７を保持枠３の凹部３３ｄに押し込んで係止させると共に、被フック部２７ａをフック部３８の鉤部３８ａに係止させる。そして、プッシュボタン３８ｃの押し込みを解除すれば、付勢バネ３８ｂによって鉤部３８ａが縁部３３ｂ方向へ引張されて、図２１（ｂ）に示すように、ＥＬユニット２の被フック部２７ａとフック部３８の鉤部３８ａとが連結される。これにより、ＥＬユニット２が保持枠３に保持される。保持枠３の凸条部３２は、ＥＬユニット２のガイドブロック２５に近接する部分に形成されていないので（図１９参照）、ＥＬユニット２の取り付けに際して、ガイドブロック２５が凸条部３２に当接することがなく、ＥＬユニット２の凸部２７を保持枠３の凹部３３ｄにスムーズに押し込むことができる。凹部３３ｄには、がたつき防止用の弾性部材（不図示）が配されていてもよい。ＥＬユニット２を保持枠３から取り外すときには、上記取付手順と同様に、プッシュボタン３８ｃを押し込めば、フック部３８の鉤部３８ａと被フック部２７ａとの連結が解除される。この状態で、ＥＬユニット２の被フック部２７ａが設けられた端部を持ち上げれば、ＥＬユニット２を保持枠３から容易に取り外すことができる。
【００５３】
この構成によれば、フロントキャップ５１又はエンドキャップ５２（図１参照）を保持枠３から取り外すことなく、ＥＬユニット２を保持枠３から容易に着脱することができる。
【００５４】
次に、本発明の第３の実施形態に係る照明システムについて、図２２乃至図２４を参照して説明する。図２２に示すように、本実施形態の照明システム１は、保持枠３は長尺状であり、その長手方向に沿う両縁部３３に形成された一対の凹部３３ｅを備える。これらの凹部３３ｅには、夫々押し冶具３３ｆが埋め込まれている。この押し冶具３３ｆは、保持枠３の縁部３３より内側方向へのみスライド移動できるように形成されている。
【００５５】
また、ＥＬユニット２は、前記保持枠と対向する面に、保持枠３の凹部３３ｅと係止される一対の凸部２７を備え、これら一対の凸部２７の一方が、保持枠３の長手方向に直交する方向に付勢された状態でスライド可能に構成されている。具体的には、この一方の凸部２７には、保持枠３の凹部３３ｅに向けて突出した突出部２７ｂが設けられ、この突出部２７ｂが、その突出方向にバネ付勢された状態でスライドする。他の構成は、上記第２の実施形態と同様である。
【００５６】
次に、本実施形態における保持枠３へのＥＬユニット２の取付手順を説明する。まず、図２４（ａ）に示すように、ＥＬユニット２を僅かに傾けながら、ＥＬユニット２の突出部２７ｂを保持枠３の凹部３３ｅに挿入する。そして、図２４（ｂ）に示すように、突出部２７ｂを付勢方向と反する方向に押し込みながら、他方の凸部２７を、対峙する保持枠３の凹部３３ｅに係止させる。そして、施工者がＥＬユニット２から手を離すと、バネ付勢によって突出部２７ｂと凹部３３ｅとの間に反発力が生じる。この反発力は、ＥＬユニット２の凸部２７が対向する保持枠の凹部３３ｅ間を押し広げる方向に作用する。これにより、ＥＬユニット２が保持枠３に保持される。ＥＬユニット２を保持枠３から取り外すときには、押し冶具３３ｆを押し込めば、ＥＬユニット２の凸部２７（突出部２７ｂ）と凹部３３ｅとの係合が解除される。この状態で、押し込まれた押し冶具３３ｆと対向する凸部２７（突出部２７ｂ）が設けられた端部を持ち上げれば、ＥＬユニット２を保持枠３から容易に取り外すことができる。
【００５７】
この構成によれば、上記第２の実施形態と同様に、フロントキャップ５１又はエンドキャップ５２（図１参照）を保持枠３から取り外すことなく、ＥＬユニット２を保持枠３から容易に着脱することができる。
【００５８】
本実施形態の変形例に係る照明システムについて、図２５乃至図２７を参照して説明する。図２５及び図２６に示すように、この変形性に係る照明システム１は、導電部材３０が観音開き式のカバー部材３５ｂによってカバーされているものである。この変形例においては、導電部材３０の露出箇所の両縁方向に、一対の凸条部３２の間隔よりも僅かに広い間隔となる一対の支持凸条３２ａが設けられ、これらの支持凸条３２ａの夫々の上面に設けられたヒンジ機構３６ｂによって一対のカバー部材３５ｂが回転自在に支持されている。このヒンジ機構３６ｂは、カバー部材３５ｂが閉鎖状態となるようにバネ付勢するように構成されている。他の構成は、上記第３の実施形態と同様である。
【００５９】
この変形例においては、図２７（ａ）に示すように、保持枠３にＥＬユニット２が取り付けられていない状態では、ヒンジ機構３６ｂのバネ付勢によって、カバー部材３５ｂが導電部材３０を覆った状態となる。そして、保持枠３にＥＬユニット２が取り付けられるとき、図２７（ｂ）に示すように、ＥＬユニット２のガイドブロック２５によってカバー部材３５ｂが押し込まれ、カバー部材３５ｂは、支持凸条３２ａの内側面と平行に配置される。
【００６０】
この構成によれば、上記図１６で示した変形例と同様に、保持枠３のＥＬユニット２が保持されていない箇所において、導電部材３０がカバー部材３５ｂによって覆われるので、導電部材３０を埃等から保護することができる。
【００６１】
次に、本発明の第４の実施形態に係る照明システムについて、図２８乃至図３０を参照して説明する。図２８に示すように、本実施形態の照明システム１は、ＥＬユニット２が、保持枠３と対向する面に、この保持枠３に向けて突出した固定部２８を備えたものである。この固定部２８は、その突出方向と直交する方向に付勢された状態でスライド可能な一対の爪部２８ａを有する。固定部２８は円柱状に形成されており、固定部２８の先端側の外側面に、一対の爪部２８ａが夫々対称に突出するように配置され、これら一対の爪部２８ａは、互いに反対方向に付勢されている。爪部２８ａは突出方向に次第に先細りとなるよう形成される。ＥＬユニット２の両縁には、保持枠３の固定面３１と当接して、保持枠３及びＥＬユニット２の厚さ方向の位置関係を一定に保持するための支持ブロック２７ｃが形成されている。
【００６２】
一方、保持枠３は、図２９に示すように、ＥＬユニット２の固定部２８と対向する位置に、爪部２８ａが係止される受け部３９を有する。受け部３９は、固定部２８の外径よりも大きく、付勢された一対の爪部２８ａの先端の間隔よりも小さな内径を有する筒状部材である。また、受け部３９の内周面には、爪部２８ａが引っ掛かる凹部３９ａが形成されている（図３０も参照）。この凹部３９ａは爪部２８ａの形状に対応するように、先細り形状とされる。また、受け部３９の固定面３１と接する部分にもバネ３９ｂ（図３０（ｂ））が設けられている。なお、本実施形態においては、保持枠３の両縁部３３に凹条３３ａは形成されていない。他の構成は、上記第１の実施形態と同様である。
【００６３】
次に、本実施形態における保持枠３へのＥＬユニット２の取付手順を説明する。まず、図３０（ａ）に示すように、ＥＬユニット２の裏面を保持枠３の取付箇所の正面に対向させる。そして、ＥＬユニット２を保持枠３に対して垂直方向に押し込む。爪部２８ａは先細り形状に形成されているので、筒状の受け部３９の開口に当接したときに、固定部２８内に押し込まれる。そして、ＥＬユニット２が保持枠３側へ更に押し込まれて、爪部２８ａが凹部３９ａに達したときに、バネ付勢によって一対が爪部２８ａが凹部３９ａ内を押し広げる方向に反発力を生じる。この反発力によって、図３０（ｂ）に示すように、固定部２８の爪部２８ａが受け部３９内の凹部３９ａと連結される。これにより、ＥＬユニット２が保持枠３に保持される。本実施形態において、固定部２８及び受け部３９は、平面状のＥＬユニット２を安定的に保持するため、夫々３組設けられることが好ましい。ＥＬユニット２を保持枠３から取り外すときには、一度、ＥＬユニット２を保持枠３側へ更に押し込めば、受け部３９に設けられたバネ３９ｂの反動によって、爪部２８ａと凹部３９ａとの連結が解除され、固定部２８が受け部３９から外れる。
【００６４】
この構成によれば、上記第２，３の実施形態と同様に、フロントキャップ５１又はエンドキャップ５２（図１参照）を保持枠３から取り外すことなく、ＥＬユニット２を保持枠３から容易に着脱することができる。
【００６５】
本実施形態の変形例に係る照明システムについて、図３１乃至図３３を参照して説明する。図３１に示すように、この変形性に係る照明システム１は、一対の凸条部３２の向かい合う内側面に導電部材３０が埋め込まれるように設けられ、導電部材３０の一部が凸条部３２の内側面から露出し、この露出箇所にカバー部材３５ｃが設けられているものである。ＥＬユニット２を保持枠３に保持する構成は、上記第４の実施形態と同様である。カバー部材３５ｃは、図３２（ａ）（ｂ）に示すように、凸条部３２の内側面と平行で、固定面３１に対して垂直な方向に付勢された状態でスライド可能なように構成されている。また、カバー部材３５ｃの上端部は、鍔状に屈曲されている。
【００６６】
図３３に示すように、ＥＬユニット２の給電端子２２ａは、ガイドブロック２５の側方に向けてＬ字形状に屈曲され、その先端が、ガイドブロック２５の側面から突出している。この変形例においては、上記第４の実施形態のように、ＥＬユニット２が保持枠３に対して垂直に押し込まれる際、給電端子２２ａがカバー部材３５ｃの上端部に接触して、カバー部材３５ｃをスライドさせ、露出した導電部材３０と給電端子２２ａが電気的に接続される。
【００６７】
この構成によれば、上記図１６及び図２５で示した変形例と同様に、保持枠３のＥＬユニット２が保持されていない箇所において、導電部材３０がカバー部材３５ｃによって覆われるので、導電部材３０を埃等から保護することができる。
【００６８】
次に、本発明の第５の実施形態に係る照明システムについて、図３４乃至図３７を参照して説明する。図３４に示すように、本実施形態の照明システム１においては、ＥＬユニット２は、保持枠３と対向する面に、保持枠３に向けて突出した固定部２８を備える。この固定部２８は、上記第４の実施形態と同様に、その突出方向と直交する方向に付勢された状態でスライド可能な一対の爪部２８ａを有する。
【００６９】
図３５に示すように、保持枠３は長尺状であり、その長手方向両端部間に亘ってＥＬユニット２の爪部２８ａが係止される受け条３９ｃを有する。受け条３９ｃは、一方の側面に複数の凹部３９ｄ及び凸部３９ｅが連続的に形成されている。凹部３９ｄ及び凸部３９ｅは、それらを連続する面が傾斜面とされ、また、各面を接続する角部が緩やかな丸みを帯びるように形成されている。そして、これら凹部３９ｄ及び凸部３９ｅが形成された面が互いに向かう合うように配置された一組の受け条３９ｃが、導電部材３０と両縁部３３との間に夫々形成されている。
【００７０】
図３６に示すように、一組の受け条３９ｃの互いの位置関係は、向かい合う凹部３９ｄの間隔が、付勢された一対の爪部２８ａの先端の間隔よりも僅かに広くなるように、且つ向かい合う凸部３９ｅの間隔が、固定部２８の外形より僅かに広くなるように設定される。また、凸部３９ｅには、爪部２８ａが引掛けられる溝部３９ｆが形成されている。
【００７１】
本実施形態における保持枠３へのＥＬユニット２の取付手順を説明する。まず、固定部２８が、一組の受け条３９ｃの向かい合う凹部３９ｄの間に位置するように、ＥＬユニット２を保持枠３に対向させる。なお、図３７（ａ）に示す例では、ＥＬユニット２が保持枠３の端部よりも奥方に存在しており、凸部３９ｅと爪部２８ａとが対向しない位置関係にあるものとする。そして、向かい合う凹部３９ｄの間に固定部２８を嵌め入れるようにＥＬユニット２を保持枠３側へ移動させる。そして、ＥＬユニット２を保持枠３の長手方向に沿ってスライドさせる。このとき、固定部２８の爪部２８ａが凸部３９ｅに乗り上げ、更にＥＬユニット２がスライドさせると、爪部２８ａが凸部３９ｅに形成された溝部３９ｆにバネ付勢によって嵌まり込み、図３７（ｂ）に示すように、爪部２８ａを溝部３９ｅに係止させることができる。これにより、ＥＬユニット２が保持枠３に保持される。ＥＬユニット２を保持枠３から取り外すときには、ＥＬユニット２を更に保持枠３の長手方向に沿ってスライドさせれば、爪部２８ａが溝部３９ｆから外れる。そして、凸部３９ｅを再び凹部３９ｄの間に移動させ、ＥＬユニット２を保持枠３から垂直方向に引き抜けば、ＥＬユニット２を保持枠３から取り外すことができる。
【００７２】
この構成によれば、上記第２〜４の実施形態と同様に、フロントキャップ５１又はエンドキャップ５２（図１参照）を保持枠３から取り外すことなく、ＥＬユニット２を保持枠３から容易に着脱することができる。また、上記第２〜４の実施形態と同様に、ＥＬユニット２を保持枠３の長手方向にスライドさせて、凸部３９ｅ及び溝部３９ｆが形成された適宜の位置でＥＬユニット２を保持することができる。
【００７３】
次に、本発明の第６の実施形態に係る照明システムについて、図３８を参照して説明する。本実施形態の照明システム１は、ＥＬユニット２と保持枠３とが、ワイヤ６により結線されているものである。ＥＬユニット２及び保持枠３の夫々両縁部には、ＥＬユニット２を保持枠３に取り付ける際に干渉されない位置に、ワイヤ通し孔（不図示）が形成されている。ワイヤ６は、このワイヤ通し孔に挿通され、鍵等によってロックされる。他の構成は上記第１〜５の実施形態と同様である。なお、図例では、第５の実施形態で説明した構成を示すが、これに限られない。この構成によれば、ＥＬユニット２を保持枠３から容易に取り外すことができ、且つ簡易な構成でＥＬユニット２の盗難を防止することができる。
【００７４】
次に、本発明の第７の実施形態に係る照明システムについて、上述した図２に加えて、図３９及び図４０を参照して説明する。本実施形態の照明システム１は、制御ユニット４及びＥＬユニット２は相互認証を行い、制御ユニット４は、ＥＬユニット２が認証されたものであるときに、このＥＬユニット２に対して電力を供給するように構成されている。ここでは、照明システム１の具体的な動作を説明する。図３９に示すように、本実施形態においても、上記第１の実施形態と同様に、制御ユニット４とＥＬユニット２との間で、（１）監視（検出）フェーズ、（２）認証・構成フェーズ、（３）給電フェーズを定期的且つ定常的に繰り返して通信及び給電を行なう。上記第１の実施形態においては、制御ユニット４は、ＥＬユニット２がこの照明システム１に適合するものであるかを確認していた。これに対して、本実施形態の照明システム１は、制御ユニット４及びＥＬユニット２が相互認証を行い、互いに予め管理者によって設定されたものであることを確認した後に給電を行なう。すなわち、本実施形態の照明システム１は、（２）認証・構成フェーズが上記第１の実施形態と異なる。なお、（１）監視（検出）フェーズ及び（２）認証・構成フェーズは上記第１の実施形態と同様である。
【００７５】
本実施形態では、（２）認証・構成フェーズにおいて、まず、制御ユニット４からＥＬユニット２に対して確認信号が出力される。ＥＬユニット２は、この確認信号を受けて、自身に割り当てられたアドレス情報や、ＥＬユニット２に組み込まれた発光部２０の定格電流等の情報を制御ユニット４へ出力する。これらの情報（パケット）は、制御ユニット４のメモリ（主制御部４２）に書き込まれる。制御ユニット４は、これらの情報を受けると、ＥＬユニット２を照明システム１に適合したものであると認証する（１次認証）。一方、上述した情報の送受信が行われないとき、ＥＬユニット２の認証が行われず、制御ユニット４は、図４０に示すように、導電部材３０へ給電できないものと判断する。続いて、制御ユニット４は、ＥＬユニット２が制御ユニット４のアドレス情報を有しているか否かを確認するための通信信号をＥＬユニット２に送信する。ＥＬユニット２は、この通信信号を受けると、制御ユニット４のアドレス情報を有しているとき、そのアドレス情報を制御ユニット４に送信する（２次認証）。制御ユニット４は、ＥＬユニット２から制御ユニット４のアドレス情報が送信されると、このアドレス情報が自身のアドレス情報と一致しているかを確認する（３次認証）。そして、制御ユニット４は、そのアドレス情報が一致する場合に（３）給電フェーズへ移行する。一方、アドレス情報が一致しない場合には、そのＥＬユニット２へは給電できないものと判断する。また、ＥＬユニット２は、制御ユニット４のアドレス情報を有していないときは、制御ユニット４のアドレス情報を自身のメモリに書き込む。
【００７６】
ＥＬユニット２が制御ユニット４のアドレス情報を有していないケースとは、ＥＬユニット２が新品である、又は初期化されている場合であり、一度、いずれかの照明システム１に施工されたＥＬユニット２は、何らかの制御ユニット４のアドレス情報を有している。従って、例えば、別の照明システム１から盗んだＥＬユニット２を自らの照明システム１に用いようとした場合であっても、そのＥＬユニット２には、元の制御ユニット４のアドレス情報が記録されている。従って、自らの照明システム１の制御ユニット４のアドレス情報とは一致せず、そのＥＬユニット２には給電がなされない。
【００７７】
本実施形態によれば、上述したように、制御ユニット４及びＥＬユニット２の間で相互認証された場合にのみ給電を行い、相互認証が行われなかった場合には、そのＥＬユニット２には給電されない。つまり、他人の照明システム１からＥＬユニット２を盗んだとしても、それを自身の照明システム１に適用することはできない。こうすれば、制御システムとして、少なくとも照明システム１のユーザによる他人のＥＬユニット２の盗難を抑制することができる。なお、ＥＬユニット２は、それ単体では機能しないが、照明システム１を認識していない者がＥＬユニット２を盗難する虞がある。従って、照明システム１が、商業施設等の不特定多数が集まる場所に施工される場合には、上記第６の実施形態で示したワイヤ６のように、物理的な盗難防止手段を設けることが好ましい。
【００７８】
本実施形態の変形例に係る照明システムについて、図４１を参照して説明する。この変形性に係る照明システム１は、制御ユニット４は、ＥＬユニット２が保持枠３から取り外されたときに警告信号を出力するものである。警告信号としては、例えば、警報アラーム等が用いられる。また、制御ユニット４は、管理者によって管理情報が入力されたときに、警告信号を出力しないように構成される。ここでいう管理情報とは、例えば、制御ユニット４に設けられたインターフェース部から入力される暗証番号等である。この場合の動作フローを、図４１に示す。制御ユニット４では、３回以内に正しい暗証番号が入力された場合にのみ、ＥＬユニット２が取り外されたときに警告信号を出力しない。こうすれば、システム的にＥＬユニット２の盗難防止を図ることができる。
【００７９】
なお、本発明は、上記実施形態に限らず、種々の変形が可能である。上述した実施形態においては、制御ユニと４が内装されたフロントキャップ５１の片端部にのみ保持枠３が連結された構成を示したが、例えば、フロントキャップ５１の両端部に２本の保持枠３が連結されてもよい。この場合、フロントキャップ５１の両端部に接点部４４が設けられると共に、夫々に保持枠３の導電部材３０が接続され、これら２系統の導電部材３０に接続されたＥＬユニット２を１つの制御ユニット４で制御するように構成されてもよい。
【符号の説明】
【００８０】
１    照明システム
２    ＥＬユニット
２０    発光部
２１    パネル制御部
２７    凸条
２７ａ    被フック部
２７ｂ    凸部
２８    固定部
２８ａ    爪部
３    保持枠
３０    導電部材
３３    縁部
３３ａ    凹条
３５ａ    カバー部材
３５ｂ    カバー部材
３５ｃ    カバー部材
３８    フック部
３９    受け部
３９ｃ    受け条
４    制御ユニット
４１    電源部
５    保護ユニット
５８    ケースユニット
６    ワイヤ
【図１】
0005796167.tif 000002
【図２】
0005796167.tif 000003
【図３】
0005796167.tif 000004
【図４】
0005796167.tif 000005
【図５】
0005796167.tif 000006
【図６】
0005796167.tif 000007
【図７】
0005796167.tif 000008
【図８】
0005796167.tif 000009
【図９】
0005796167.tif 000010
【図１０】
0005796167.tif 000011
【図１１】
0005796167.tif 000012
【図１２】
0005796167.tif 000013
【図１３】
0005796167.tif 000014
【図１４】
0005796167.tif 000015
【図１５】
0005796167.tif 000016
【図１６】
0005796167.tif 000017
【図１７】
0005796167.tif 000018
【図１８】
0005796167.tif 000019
【図１９】
0005796167.tif 000020
【図２０】
0005796167.tif 000021
【図２１】
0005796167.tif 000022
【図２２】
0005796167.tif 000023
【図２３】
0005796167.tif 000024
【図２４】
0005796167.tif 000025
【図２５】
0005796167.tif 000026
【図２６】
0005796167.tif 000027
【図２７】
0005796167.tif 000028
【図２８】
0005796167.tif 000029
【図２９】
0005796167.tif 000030
【図３０】
0005796167.tif 000031
【図３１】
0005796167.tif 000032
【図３２】
0005796167.tif 000033
【図３３】
0005796167.tif 000034
【図３４】
0005796167.tif 000035
【図３５】
0005796167.tif 000036
【図３６】
0005796167.tif 000037
【図３７】
0005796167.tif 000038
【図３８】
0005796167.tif 000039
【図３９】
0005796167.tif 000040
【図４０】
0005796167.tif 000041
【図４１】
0005796167.tif 000042